(57)【要約】【課題】建具用緩衝装置にあって、十分な緩衝効果を発揮しながら、建具を完全に閉鎖するまでの時間を短縮することができる。【解決手段】カバー体８にシリンダー１を固定する。シリンダー１には、内部にエアが入っており、シャフト３後端部に固定したピストン２を往復動可能に収容し、シャフト３をシリンダー１前端部から導出する。シリンダー１の内面後半部には、後方に向かうにしたがって徐々に、幅が広くなると共に深さも深くなって、断面積が増加するバイパス溝９を凹設してある。シャフト３前端部に磁石１０・１１を設けた当接体５を固定する。カバー体８の前端部に保持体６を固定する。保持体６に磁石１０が吸着する磁石１３を設ける。枠体Ｗに磁石１４が設けられた当受体７を固定する。【選択図】図３
2006219936.tif 000002
【特許請求の範囲】
【請求項１】
シリンダーに対してピストンを相対的に往復動可能に設けて成り、ピストンがシリンダー内を相対的に移動することによって、閉鎖する建具の衝撃を緩和する建具用緩衝装置において、シリンダー内面に、ピストンが移動する方向に断面積が徐々に増加するバイパス溝を凹設し、建具が閉鎖する際に、ピストンがバイパス溝の断面積が徐々に増加する方向へ相対的に移動することを特徴とする建具用緩衝装置。
【発明の詳細な説明】
【技術分野】
【０００１】
本発明は、閉鎖方向に移動する建具を、ピストンとシリンダーを有するダンパーによって閉鎖する前に減速させて衝撃を緩和する建具用緩衝装置に関するものである。
【背景技術】
【０００２】
実開平６−１６７６号公報には、閉鎖方向に付勢されている建具を、ピストンとシリンダーを有するダンパーによって閉鎖する前に減速させて衝撃を緩和する建具用緩衝装置が開示されている。また、シリンダーには、内部のエアを外部へ流出する際の流量を調整可能に規制する排出エア規制機構を設けてある。
【特許文献１】実開平６−１６７６号公報
【発明の開示】
【発明が解決しようとする課題】
【０００３】
上記従来例のような建具用緩衝装置においては、排出エア規制機構により、エアの外部への流量を少なくして緩衝効果を高めると、建具の閉鎖する衝撃を緩和した後、建具を完全に閉鎖するまでに、時間がかかりすぎるという問題があった。また逆に、建具を完全に閉鎖する時間を短くするために、排出エア規制機構により、エアの外部への流量を多くすると、当然のことながら緩衝効果が小さくなるという問題があった。
本発明は、上記の問題点を解決することが課題であり、建具用緩衝装置にあって、十分な緩衝効果を発揮しながら、建具を完全に閉鎖するまでの時間を短縮することができるようにしたものである。
【課題を解決するための手段】
【０００４】
本発明は、上記の課題を解決するために、シリンダーに対してピストンを相対的に往復動可能に設けて成り、ピストンがシリンダー内を相対的に移動することによって、閉鎖する建具の衝撃を緩和する建具用緩衝装置において、シリンダー内面に、ピストンが移動する方向に断面積が徐々に増加するバイパス溝を凹設し、建具が閉鎖する際に、ピストンがバイパス溝の断面積が徐々に増加する方向へ相対的に移動するようにしたものである。
【０００５】
本発明は、上記背景技術に記載した従来例のように、建具用緩衝装置とは別の装置が、建具を全ての区間において（建具が全開から全閉のどこに位置していても）常時閉鎖方向へ付勢する力を発生させるものに適用することもできるが、建具用緩衝装置自身が、閉鎖する前の特定の区間において、建具を緩衝する機能だけでなく閉鎖する機能を併せ持っているものに適しており、これを以下に詳述する。
【０００６】
この建具用緩衝装置は、シリンダーを建具又は枠体に固定するタイプと、シャフトを建具又は枠体に固定するタイプがある。
【０００７】
シリンダーを建具又は枠体に固定するタイプは、建具と枠体のいずれか一方に固定されるシリンダーに、ピストン、シャフト及び当接体を有するピストンユニットを往復動可能に設けて成ると共に、建具と枠体の他方には、建具が閉鎖する前に、ピストンユニットの当接体が当接して保持される当受体を設けて成る。
【０００８】
以下、シリンダーを建具に固定するタイプについて詳しく説明する。
シリンダー内には、シャフトに設けられたピストンを往復動可能に収容し、シリンダーの端部から導出されたシャフトには当接体を設け、ピストンユニットは、閉鎖ばねで建具を閉鎖する方向に付勢されており、このピストンユニットを、閉鎖ばねに抗して引き出した状態で、建具に対して動かないように保持することができる保持体を建具側に設けて成る。建具側とは、建具又は建具と共に移動するもの（建具用緩衝装置等）を意味する。
【０００９】
一方、建具が取り付けられる枠体には、建具が閉鎖する前に、保持体に保持されているピストンユニットの当接体が当接して保持される当受体を設けて成る。
【００１０】
この建具用緩衝装置は、建具が閉鎖方向に移動すると、ピストンユニットの当接体が当受体に当接して、ピストンユニットは保持体から離脱して当受体に保持され、ピストンがシリンダー内を相対的に移動する時に緩衝されると共に、閉鎖ばねの復元力によって建具を閉鎖方向に移動することができるように成し、閉鎖操作された建具を緩衝して、なおかつ閉鎖させることができるものである。
【００１１】
そして、本発明は、上述の建具用緩衝装置において、シリンダー内面に、断面積が徐々に増加するバイパス溝を設け、ピストンがバイパス溝の断面積が徐々に増加する方向へ移動して、建具が閉鎖するようにしたものである。
【００１２】
この建具用緩衝装置においては、建具が閉鎖方向に移動して、ピストンユニットの当接体が当受体に当接して、ピストンが、シリンダー内を相対的に移動し、バイパス溝の手前あるいはバイパス溝に到達し（ピストンが到達する位置は初期の緩衝強度の設定や建具の閉鎖速度等の条件により相違する）、建具の閉鎖する衝撃は緩和される。
【００１３】
この時、ピストンがその閉鎖速度が速くてバイパス溝にまで達していると、バイパス溝を通じて流体が流通するので、バイパス溝がない場合に比べると多少緩衝効果は低下することになる。しかし、バイパス溝の前半部は断面積が小さく、またピストンのシリンダーに対する速度が速いこともあってシリンダー内は高圧になり、その緩衝効果が大きく低下することはない。
【００１４】
緩衝された後は、閉鎖ばねの力で、ピストンはシリンダー内をバイパス溝の断面積が徐々に増加する方向へシリンダーに対して移動し、バイパス溝により流通する流体が増加するので、速やかに建具は閉鎖することになる。
【００１５】
次に、シャフトを建具又は枠体に固定するタイプは、ピストンを設けて建具と枠体のいずれか一方に固定されるシャフトに、該ピストンを収容するシリンダーに当接体を設けたシリンダーユニットを、往復動可能に設けて成ると共に、建具と枠体の他方には、建具が閉鎖する前に、シリンダーユニットの当接体が当接して保持される当受体を設けて成る。
【００１６】
以下、シャフトを建具に固定するタイプについて詳しく説明する。
シリンダー内には、シャフトに設けられたピストンを往復動可能に収容し、シリンダーユニットは、閉鎖ばねで建具を閉鎖する方向に付勢されており、このシリンダーユニットを、閉鎖ばねに抗して移動してシリンダーからシャフトが引き出された状態で、建具に対して動かないように保持することができる保持体を建具側に設けて成る。建具側とは、建具又は建具と共に移動するもの（建具用緩衝装置等）を意味する。
【００１７】
一方、建具が取り付けられる枠体には、建具が閉鎖する前に、保持体に保持されているシリンダーユニットの当接体が当接して保持される当受体を設けて成る。
【００１８】
この建具用緩衝装置は、建具が閉鎖方向に移動すると、シリンダーユニットの当接体が当受体に当接して、シリンダーユニットは保持体から離脱して当受体に保持され、ピストンがシリンダー内を相対的に移動する時に緩衝されると共に、閉鎖ばねの復元力によって建具を閉鎖方向に移動することができるように成し、閉鎖操作された建具を緩衝して、なおかつ閉鎖させることができるものである。
【００１９】
そして、本発明は、上述の建具用緩衝装置において、シリンダー内面に、断面積が徐々に増加するバイパス溝を設け、ピストンがバイパス溝の断面積が徐々に増加する方向へ移動して、建具が閉鎖するようにしたものである。
【００２０】
この建具用緩衝装置においては、建具が閉鎖方向に移動して、シリンダーユニットの当接体が当受体に当接して、ピストンがシリンダー内を相対的に移動し、バイパス溝の手前あるいはバイパス溝に到達し（ピストンが到達する位置は初期の緩衝強度の設定や建具の閉鎖速度等の条件により相違する）、建具の閉鎖する衝撃は緩和される。
【００２１】
この時、ピストンがその閉鎖速度が速くてバイパス溝に達していると、バイパス溝を通じて流体が流通するので、バイパス溝がない場合に比べると多少緩衝効果は低下することになる。しかし、バイパス溝の前半部は断面積が小さく、またピストンのシリンダーに対する速度が速いこともあってシリンダー内は高圧になり、その緩衝効果が大きく低下することはない。
【００２２】
緩衝された後は、閉鎖ばねの力で、ピストンはシリンダー内をバイパス溝の断面積が徐々に増加する方向へシリンダーに対して移動し、バイパス溝により流通する流体が増加するので、速やかに建具は閉鎖することになる。
【発明の効果】
【００２３】
以上のように本発明によれば、建具が閉鎖する際に、ピストンはシリンダーのバイパス溝の断面積が徐々に増加する方向へ移動し、バイパス溝により流通する流体も徐々に増加するので、建具の閉鎖の衝撃を緩和する効果を大きく減じることがなく、衝撃を緩和した後に、建具は、徐々に閉鎖を妨げる抵抗を減じながらスムーズに速やかに閉鎖し、閉鎖するまでの時間を短縮することができるという効果がある。
【発明を実施するための最良の形態】
【００２４】
図１〜図１４に示すものは、本発明の第１の実施形態であり、シリンダーを建具に固定するタイプである。なお、明細書中においては、建具Ｈの閉鎖する方向が前方、開放する方向が後方としてある。
【００２５】
本実施形態の建具用緩衝閉鎖装置は、全部品が断面略倒コ字状のカバー体８の中に収容されて、枠体Ｗに摺動自在に取り付けられた建具Ｈの上端面に取付溝を設けて、そこに取り付けられている。このように部品を建具Ｈに間接的に取り付ける他、もちろんそれぞれ直接取り付けてもよいが、カバー体８に収容すると取付その他取り扱いが便利になる。
なお、本発明においては建具及び枠体に取り付ける部品は全て、直接取り付けてもよいし、間接的に取り付けてもよいのはもちろんである。
【００２６】
カバー体８には、前端部に保持体６を固定すると共に後端部に端部キャップ２１を固定し、中間部にシリンダー１を、両端部に被嵌される蓋体１５及び蓋体１６によって固定してある。
本実施例においては、シリンダー１は、カバー体８を介して建具Ｈに間接的に取り付けられているが、前述のように建具Ｈに直接取り付けてもよい。
【００２７】
シリンダー１には、内部にエアが入っており、断面六角形のシャフト３後端部に固定したピストン２を往復動可能に収容し、シャフト３がシリンダー１前端部の蓋体１５から導出されている。ピストン２は、リング状のＵパッキンを使用している。そして、シリンダー１の内面後半部には、後方に向かうにしたがって徐々に、幅が広くなると共に深さも深くなって、断面積が増加するバイパス溝９を凹設してある。
【００２８】
引っ張りばねの閉鎖ばね４が、一端を蓋体１５の前方に固定され、他端をシャフト３の前部に調整具１７によって位置調整可能に固定され、シャフト３を後方に引っ張るよう作用する。閉鎖ばね４には、その一部を被うゴム筒１８が嵌めてあり、閉鎖ばね４が伸び縮みする時に音が発生するのを抑えている。調整具１７の固定位置を変更することによって、引っ張り力を調整することができるようになっている。
【００２９】
シャフト３前端部には、当接体５を設け、この当接体５の前面下部に磁石１０を、前面上部に磁石１１を設けてある。磁石１０と磁石１１は、前面の極性を異ならせてある。例えば磁石１０の前面をＳ極、磁石１１の前面をＮ極とする。また前面には、後述するように、磁石同士が当接する時に発生する音を抑えるためにクッション１２を貼り付けてある。ピストン２、シャフト３、当接体５、磁石１０、磁石１１及びクッション１２でピストンユニットＰＵを構成している。
【００３０】
なお、ピストン２のシャフト３への取付位置及び当接体５のシャフト３への取付位置については限定しないが、本実施例のように、ピストン２はシャフト３の後端部に取り付け、当接体５はシャフト３の前端部に取り付けると、装置全体がコンパクトになると共に大きな取付スペースを必要とすることがないという利点がある。
【００３１】
閉鎖ばね４は、この実施形態においては前述のように、シリンダー１の前方部に設けて、調整具１７と蓋体１５との間に配設して両者を接近させる方向に力が働く引っ張りばねであるが、配設場所を変更する等構成を変更すれば、圧縮ばねやガススプリング等でもよく、要するにピストンユニットＰＵをシリンダー１・建具Ｈに対して後方に付勢するものであればよい。
なお、ピストンユニットＰＵをシリンダー１・建具Ｈに対して後方に付勢するということは、ピストンユニットＰＵが後述する当受体７に保持されて枠体Ｗに対して固定された時、建具Ｈを前方すなわち閉鎖方向に付勢するということである。
【００３２】
シリンダー１とピストン２から成る本実施例のダンパー装置は、シリンダー１端部の蓋体１６に排出孔１９が設けられて、その排出孔１９の開口面積をニードル弁２０で調整して緩衝の強さを調整するようになっている。
【００３３】
カバー体８の前端部に固定されている保持体６には、上面に建具Ｈの走行方向（前後方向）に切り欠いてある切欠部２２が設けられ、後面下部に当接体５の磁石１０（Ｓ極）が吸着する磁石１３（Ｎ極）を設けてある。そして、保持体６の磁石１３に当接体５下部の磁石１０が吸着した時に、当接体５上部の磁石１１が、建具Ｈの前方に開放している構成となっている。
【００３４】
保持体６の磁石１３に当接体５の磁石１０が吸着することによって、閉鎖ばね４に抗して前方に引き出されたピストンユニットＰＵが保持体６に保持されるものである。この状態においては、閉鎖ばね４はエネルギーがチャージされている。
【００３５】
枠体Ｗの鴨居溝の上内面には、後端部に磁石１４が設けられた当受体７が固定されている。この磁石１４は、鴨居溝の下内面に下に突出するように設けられることになり、保持体６の切欠部２２を通過して、保持体６に吸着している当接体５の上部の磁石１１（Ｎ極）がこの磁石１４（Ｓ極）に当接して吸着できるように構成されている。
【００３６】
このように、当接体５の磁石１０（Ｓ極）と磁石１１（Ｎ極）の極性を異ならせ、磁石１０（Ｓ極）に対応する保持体６の磁石１３（Ｎ極）を引き合うよう異極性にすると共に、磁石１１（Ｎ極）に対応する当受体７の磁石１４（Ｓ極）を引き合う異極性としたのは、当接体５が上下にずれにくくするためである。
つまり、表裏面がそれぞれ１つの極性となっている磁石は、面の中央を中心にして磁力線が分布しているので、吸着される相手はより中央に引き付けられる。従って、例えば当接体５前面の磁石を１つにして、保持体６の磁石１３と当受体７の磁石１４を磁性板にすると、当接体５の下部が保持体６に吸着する場合は、固定されている保持体６は動かずに、当接体５が保持体６に中央で吸着しようとして下方にずれようとし、当接体５の上部が当受体７に吸着する場合は、固定されている当受体７は動かずに、当接体５が当受体７に中央で吸着しようとして上方にずれようとする。それを防ぐために上記の構造としてある。
【００３７】
なお、当接体５と保持体６及び当接体５と当受体７の保持と離脱する機構を本実施例のように磁石ではなく、他の自動キャッチ装置にしてもよく、要するに、この部分は保持と離脱が可能な機構であればよい。
また、ピストンユニットＰＵを保持する保持体部分の構成を、蓋体１５に、球状のボールである保持体をシャフト３に向かってばねで付勢して設け、対応するシャフト３に半球状の凹部を設けて、保持と離脱をするような公知の構成としてもよい。要するに、ピストンユニットを、閉鎖ばねに抗して前方に引き出した状態で、建具に対して動かないように保持し、なおかつ離脱することができる保持体を、建具あるいは蓋体やピストンユニット等の部品に設けてあればよい。
【００３８】
次に建具Ｈの開閉時の説明をする。
ピストンユニットＰＵの当接体５の下部の磁石１０が、クッション１２を介して保持体６の磁石１３に吸着している状態（建具Ｈが開いている状態）（図７及び図１１の状態）で、建具Ｈを閉める方向に移動すると、閉まりきる前に、当接体５の上部の磁石１１が、クッション１２を介して当受体７の磁石１４に当接して吸着され（図８及び図１２の状態）、さらに建具Ｈが移動すると、保持体６は、磁石１３がピストンユニットＰＵの当接体５の磁石１０から離れて建具Ｈと共に移動するが、ピストンユニットＰＵの当接体５は、磁石１１が当受体７の磁石１４に吸着したままの状態で止まる。
【００３９】
従ってピストンユニットＰＵのピストン２も止まるが、シリンダー１は建具Ｈと共に前方へ移動する。つまり、ピストン２がシリンダー１に対して相対的に後方に移動し、バイパス溝９の手前まで到達するので、ピストン２によってシリンダー１内のエアが圧縮され、蓋体１６の排出孔１９から少量排出される（図９及び図１３の状態）。そして、ピストン２がシリンダー１内を移動するこの時に、建具Ｈの閉鎖する衝撃が緩和されることになる。
【００４０】
建具Ｈの重さ・速度及び排出孔からのエアの排出量等によって、ピストン２が到達するシリンダー１内の位置は相違し、ピストン２が、バイパス溝９にまで到達する場合もあり、この場合、このバイパス溝９からもエアは流出するが、その流出量は微量でありシリンダー１内は急速に高圧になるので、緩衝効果が大きく低減することはなく、十分な緩衝効果を発揮するものである。
【００４１】
そして、前述のように、閉鎖ばね４は、ピストンユニットＰＵを後方に付勢しており、ピストンユニットＰＵの当接体５の磁石１１が枠体Ｗに固定された当受体７の磁石１４に吸着されているので、後方のピストンユニットＰＵは枠体Ｗに対して動かずに、閉鎖ばね４がシリンダー１前方の蓋体１５を前方に引っ張ることになり、シリンダー１が間接的に固定された建具Ｈが前方すなわち閉鎖方向に移動して戸当り面Ｍに当接し、完全に閉め切られる（図１０及び図１４の状態）。
【００４２】
そして、建具Ｈが閉鎖ばね４の力で閉鎖されるこの時に、ピストン２がバイパス溝９を通過するので、シリンダー１内のエアがここからも流出し、蓋体１６の排出孔１９からのみ排出するのに比べ、ピストン２が移動する抵抗が低減し、建具Ｈは速やかに閉鎖する。
また例え建具Ｈが戸当り面Ｍに当接した時はね返ったとしても、閉鎖ばね４の力が建具Ｈを閉める方向に働いているので、最終的に建具Ｈは完全に閉め切られることになる。
【００４３】
なお、建具Ｈが閉まり切らないほどの弱い力で閉められた場合でも、当接体５の上部の磁石１１が、当受体７の磁石１４に当接して吸着され、保持体６の磁石１３が当接体５の下部の磁石１０から外れる位置まで建具Ｈがくれば、閉鎖ばね４の力で建具Ｈは完全に閉め切られることになる。
【００４４】
閉まっている建具Ｈを閉鎖ばね４の力に抗して開ける方向に移動すると、ピストンユニットＰＵは枠体Ｗに対して動かずに、建具Ｈに固定されているシリンダー１が建具Ｈと共に後退する（図９及び図１３の状態）。シリンダー１が後退する時、排出孔１９及びバイパス溝９からのエアの流通に加えて、内部のピストン２のＵパッキンは変形してエアが流通できる構造となっているので、ダンパー装置からの抵抗は大きくない。
【００４５】
さらに建具Ｈが移動すると、保持体６の磁石１３が、クッション１２を介して当接体５の下部の磁石１０に当接して吸着し（図８及び図１２の状態）、さらに建具Ｈが移動すると、磁石１０は、保持体６の磁石１３に吸着したままの状態で、当受体７の磁石１４から当接体５の上部の磁石１１が離れる（図７及び図１１の状態）。
【００４６】
当接体５の磁石１１が当受体７の磁石１４から離れて、当接体５の磁石１０が保持体６の磁石１３に吸着している状態では、閉鎖ばね４はエネルギーがチャージされて静止している状態であり、建具Ｈを動かすのに閉鎖ばね４の力は働かなくなり、この状態では、建具Ｈはフリーであってどの位置でも停止させることができる。そして、さらに移動させれば建具Ｈは開放され、人が出入りできるようになる。
【００４７】
なお、当接体５の磁石１１が当受体７の磁石１４に当接する時の建具Ｈの位置から閉まるまでの距離は、建具Ｈが、閉められる時の衝撃を緩和するのに十分な距離が必要であるが、あまり長すぎると建具Ｈが停止できるフリーの区間が短くなってしまうので、建具Ｈが、強く閉められた時に緩衝されるに十分な距離で、停止できるフリーの区間が不自由ない距離が望ましく、およそ５〜２５センチメートルの範囲が妥当である。
【００４８】
なお、シリンダー１を枠体Ｗに固定するタイプは、シリンダー１を建具Ｈに固定するタイプとは逆に、シャフト３端部の当接体５が後方を向くように、シリンダー１を枠体Ｗに固定し、その当接体５に対向するように、建具Ｈ上端面に当受体７を取り付ければよい。
【００４９】
図１５〜図１９に示すものは、本発明の第２の実施形態であり、シャフトを建具に固定するタイプである。
【００５０】
本実施形態の建具用緩衝閉鎖装置は、全部品が断面略倒コ字状のカバー体３８の中に収容されて、枠体Ｗに摺動自在に取り付けられた建具Ｈの上端面に取り付けられている。
【００５１】
カバー体３８には、前端部に保持体３６を固定すると共に後端部に端部キャップ５１を固定し、その間にシリンダー３１を、前後移動可能に設けてある。
【００５２】
シリンダー３１は、前端部に蓋体を兼用する当接体３５を被嵌し、後端部に蓋体４６を被嵌してあり、内部には、エアが入っており、断面六角形のシャフト３３前端部に固定したピストン３２を収容し、シャフト３３がシリンダー３１後端部の蓋体４６から導出されている。ピストン３２は、リング状のＵパッキンを使用している。そして、シリンダー３１の内面前半部には、前方に向かうにしたがって徐々に、幅が広くなると共に深さも深くなって、断面積が増加するバイパス溝３９を凹設してある。
【００５３】
シャフト３３は、その後端部が固定具５３によって固定され、建具Ｈに対して固定されている。従って、シャフト３３前端部のピストン３２は、建具Ｈに対して固定され動かないが、シリンダー３１が前後に移動することによって、相対的にシリンダー３１内部を移動することになる。
【００５４】
シリンダー３１前端部の当接体３５には、前面下部に磁石４０を、前面上部に磁石４１を設けてある。磁石４０と磁石４１は、第１の実施形態と同様に、前面の極性を異ならせてある。また前面には、磁石同士が当接する時に発生する音を抑えるためにクッション４２を貼り付けてある。シリンダー３１、当接体３５、磁石４０、磁石４１、クッション４２及び蓋体４６でシリンダーユニットＣＵを構成している。
【００５５】
引っ張りばねの閉鎖ばね３４が、一端をシリンダー３１後端部の蓋体４６の後方に固定され、他端をシャフト３３の後部に調整具４７によって位置調整可能に固定され、シリンダー３１を後方に引っ張るよう作用する。閉鎖ばね３４には、その一部を被うゴム筒４８が嵌めてある。
【００５６】
閉鎖ばね３４は、この実施形態においては前述のように、シリンダー３１の後方部に設けて、調整具４７と蓋体４６との間に配設して両者を接近させる方向に力が働く引っ張りばねであるが、配設場所を変更する等構成を変更すれば、圧縮ばねやガススプリング等でもよく、要するにシリンダーユニットＣＵをピストン３２・建具Ｈに対して後方に付勢するものであればよい。
なお、シリンダーユニットＣＵをピストン３２・建具Ｈに対して後方に付勢するということは、シリンダーユニットＣＵが後述する当受体３７に保持されて枠体Ｗに対して固定された時、建具Ｈを前方すなわち閉鎖方向に付勢するということである。
【００５７】
シリンダー３１とピストン３２から成る本実施例のダンパー装置は、シリンダー３１端部の当接体３５に排出孔４９が設けられて、その排出孔４９の開口面積をニードル弁５０で調整して緩衝の強さを調整するようになっている。
【００５８】
カバー体３８の前端部に固定されている保持体３６には、上面に建具Ｈの走行方向（前後方向）に切り欠いてある切欠部５２が設けられ、後面下部に当接体３５の磁石４０が吸着する磁石４３を設けてある。そして、保持体３６の磁石４３に当接体３５下部の磁石４０が吸着した時に、当接体３５上部の磁石４１が、建具Ｈの前方に開放されている構成となっている。
【００５９】
保持体３６の磁石４３に当接体３５の磁石４０が吸着することによって、閉鎖ばね３４に抗して前方に引き出されたシリンダーユニットＣＵが保持体３６に保持されるものである。この状態においては、閉鎖ばね３４はエネルギーがチャージされている。
【００６０】
枠体Ｗの鴨居溝の上内面には、後端部に磁石４４が設けられた当受体３７が固定されている。この磁石４４は、鴨居溝の下内面に下に突出するように設けられることになり、保持体３６の切欠部５２を通過して、保持体３６に吸着している当接体３５の上部の磁石４１がこの磁石４４に当接して吸着できるように構成されている。
【００６１】
この第２の実施形態においては、ピストン３２を有するシャフト３３を建具Ｈに固定してシリンダ３１が移動するものであり、第１の実施形態においては、シリンダー１を建具に固定してシャフト３に固定したピストン２が移動するものであり逆の構成になっているが、いずれも、ピストン２・３２がシリンダー１・３１内を相対的に移動することについては同様である。従って、建具Ｈの開閉時の動きについては、図１６〜図１９に示すだけで説明は省略する。
【００６２】
なお、シャフト３３を枠体Ｗに固定するタイプは、シャフト３３を建具Ｈに固定するタイプとは逆に、シリンダー３１端部の当接体３５が後方を向くように、シャフト３３を枠体Ｗに固定し、その当接体３５に対向するように、建具Ｈ上端面に当受体３７を取り付ければよい。
【００６３】
段落００３８から００４３の記載から明らかなように、本発明によれば、建具が強い力で閉鎖操作された場合には、その衝撃を十分に緩和することができ、なおかつ、建具が弱い力で閉鎖操作された場合でも、緩衝した後に建具が完全に閉まるまでに時間がかかりすぎることなく、速やかに閉鎖することができるという作用効果がある。
従って、常時閉鎖方向に付勢されている建具に用いる建具用緩衝装置の場合とは違って、上述の第１及び第２の実施形態のように、閉鎖操作する力が一定ではない場合に特に適した作用効果を奏するものである。
【図面の簡単な説明】
【００６４】
【図１】第１の実施形態の発明を建具及び枠体に取り付け、鴨居を切り欠いた状態の全体正面図である。
【図２】第１の実施形態の発明のカバー体を切り欠いた状態の要部の正面図である。
【図３】第１の実施形態の発明で、カバー体及びシリンダーの一部を切り欠いて一部を省略した状態の要部拡大斜視図である。各部の名称を説明しやすくするために便宜上、当接体と保持体を離した状態にしてある。
【図４】第１の実施形態の発明の一部を省略した状態の要部拡大縦断面図である。各部の名称を説明しやすくするために便宜上、当接体と保持体を離した状態にしてある。
【図５】図４のＡ部拡大図である。
【図６】図４のＢ−Ｂ線拡大端面図である。
【図７】第１の実施形態の発明の縦断面図であり、当接体が当受体に当接する直前の状態を示している。
【図８】第１の実施形態の発明の縦断面図であり、当接体が当受体に当接した状態を示している。
【図９】第１の実施形態の発明の縦断面図であり、当接体が保持体から離れ当受体に保持されている状態を示している。
【図１０】第１の実施形態の発明の縦断面図であり、建具が完全に閉められた状態を示している。
【図１１】図７の要部拡大図である。
【図１２】図８の要部拡大図である。
【図１３】図９の要部拡大図である。
【図１４】図１０の要部拡大図である。
【図１５】第２の実施形態の発明の一部を省略した状態の要部拡大縦断面図である。
【図１６】第２の実施形態の発明の縦断面図であり、当接体が当受体に当接する直前の状態を示している。
【図１７】第２の実施形態の発明の縦断面図であり、当接体が当受体に当接した状態を示している。
【図１８】第２の実施形態の発明の縦断面図であり、当接体が保持体から離れ当受体に保持されている状態を示している。
【図１９】第２の実施形態の発明の縦断面図であり、建具が完全に閉められた状態を示している。
【符号の説明】
【００６５】
Ｈ    建具
Ｗ    枠体
ＰＵ    ピストンユニット
ＣＵ    シリンダーユニット
１    シリンダー
２    ピストン
３    シャフト
４    閉鎖ばね
５    当接体
６    保持体
７    当受体
９    バイパス溝
３１    シリンダー
３２    ピストン
３３    シャフト
３４    閉鎖ばね
３５    当接体
３６    保持体
３７    当受体
３９    バイパス溝
【図１】
2006219936.tif 000003
【図２】
2006219936.tif 000004
【図３】
2006219936.tif 000005
【図４】
2006219936.tif 000006
【図５】
2006219936.tif 000007
【図６】
2006219936.tif 000008
【図７】
2006219936.tif 000009
【図８】
2006219936.tif 000010
【図９】
2006219936.tif 000011
【図１０】
2006219936.tif 000012
【図１１】
2006219936.tif 000013
【図１２】
2006219936.tif 000014
【図１３】
2006219936.tif 000015
【図１４】
2006219936.tif 000016
【図１５】
2006219936.tif 000017
【図１６】
2006219936.tif 000018
【図１７】
2006219936.tif 000019
【図１８】
2006219936.tif 000020
【図１９】
2006219936.tif 000021